(57)【要約】      （修正有）【課題】容易に設置できるとともに、確実に収納物が滑り落ちることを防止可能であり、かつ、収納物の整理整頓の際に邪魔にならず、収納物が痛みにくい滑り止めマットを提供する。【解決手段】滑り止めマット１０は、一方面に静止摩擦係数が０．４より大きく０．６より小さい滑り止め部１２が設けられ、他方面が設置面としての本棚の棚板３２に設置されて、棚板３２に載置された収納物２０としての書籍が地震により滑り落ちることを防止するために用いられ、オープン棚、キャビネット、机や什器等のように、収納物２０が載置される棚板、棚面等を有する器具や家具に適用する。【選択図】図１
2014155679.tif 000002
【特許請求の範囲】
【請求項１】
一方面に滑り止め部が設けられ、他方面が設置面に設置される滑り止めマットにおいて、前記滑り止め部の静止摩擦係数が０．４より大きく０．６より小さいことを特徴とする滑り止めマット。
【請求項２】
収納物が載置される棚板表面の静止摩擦係数が０．４より大きく０．６より小さいことを特徴とする棚板。
【発明の詳細な説明】
【技術分野】
【０００１】  本発明は、本棚、オープン棚やキャビネット等に収められた書籍、書類やケースなどの収納物が地震により滑り落ちることを防止する滑り止めマットに関する。
【背景技術】
【０００２】  従来、地震や意図しない何らかの物品の衝突等における振動や揺れ及び傾きで本棚、オープン棚やキャビネット等の棚板に載置された物品の転落を防止するマットが種々提案されている。【０００３】  例えば、特許文献１には、天然又は人造繊維糸条からなるネット状基布と、このネット状基布の糸条を被覆して滑り止め表面を形成する天然又は人造重合体の含泡弾性被覆層とからなる滑り防止用下敷ネットが開示されるとともに、この特許文献１に開示される防止用下敷ネットの具体的な製品として、ポリエステル繊維のネットに塩化ビニル樹脂を付着させた滑り止めシートが安価にて販売されている。【０００４】  また、特許文献２には、落下防止シートを収納物の重心より落下方向（収納物の出し入れ方向）に施設する方法が開示されている。
【先行技術文献】
【特許文献】
【０００５】
【特許文献１】  特公昭５５−１２２５１号公報
【特許文献２】  特開２００３−７９４６１号公報
【発明の概要】
【発明が解決しようとする課題】
【０００６】  しかしながら、特許文献１に開示される滑り止めマットは、糸条からなるネット状基布または連続線状体のため、棚板に納めた収納物の出し入れにより破けたり千切れたりしてしまう課題があった。【０００７】  また、特許文献２に開示される落下防止シートは、シートとして高摩擦材を利用するため収納物の落下防止に効果はあるが、書籍や収納物を大量に扱う図書館や美術館等では、頻繁に行う整理整頓作業において出し入れし難いという課題や、滑らないため書籍が傷みやすい等の課題があった。
【課題を解決するための手段】
【０００８】  この発明の目的は、上述した事情に鑑みなされたもので、容易に設置できるとともに、確実に収納物が滑り落ちることを防止可能な滑り止めマットを提供することである。【０００９】  また、この発明の別の目的は、収納物の整理整頓の際に邪魔にならず、かつ、収納物が痛みにくい滑り止めマットを提供することである。【００１０】  上述した課題を解決し、目的を達成するため、この発明に係わる滑り止めマットは、請求項１の記載によれば、一方面に滑り止め部が設けられ、他方面が設置面に設置される滑り止めマットにおいて、前記滑り止め部の静止摩擦係数が０．４より大きく０．６より小さいことを特徴とする。【００１１】  上述した課題を解決し、目的を達成するため、この発明に係わる棚板は、収納物が載置される棚板表面の静止摩擦係数が０．４より大きく０．６より小さいことを特徴とする。
【発明の効果】
【００１２】  この発明によれば、容易に設置できるとともに、確実に収納物が滑り落ちることを防止可能な滑り止めマットを提供することが可能となる。【００１３】  また、この発明によれば、収納物の整理整頓の際に邪魔にならず、かつ、収納物が痛みにくい滑り止めマットを提供することが可能となる。
【図面の簡単な説明】
【００１４】
【図１】  本発明の滑り止めマットの取り付け例を示す図
【図２】  静止摩擦係数による落下防止の効果の結果を示す図
【図３】  静止摩擦係数と転倒による落下の関係を示す図
【発明を実施するための形態】
【実施例】
【００１５】  以下に図面を用いて本発明の滑り止めマット１０を説明する。図１は、本発明の滑り止めマット１０の取り付け例を示す図である。この図１において、滑り止めマット１０は、一方面に滑り止め部１２が設けられ、他方面が設置面としての本棚の棚板３２に設置されて、棚板３２に載置された収納物２０としての書籍が地震により滑り落ちることを防止するために用いられている。なお、オープン棚、キャビネット、机や什器等のように、収納物２０が載置される棚板、棚面等を有する器具や家具であれば、本発明の滑り止めマット１０が適用可能である。また、収納物２０は書籍に限定されるものではなく、書類やケース等どのようなものでも良い。【００１６】  図１によれば、地震等による振動に対して滑り落ちを防止したい収納物２０としての書籍は、硬質の紙等の素材で形成される２枚の表紙２２と、２枚の表紙２２の各々の一辺を接続する、表紙２２と同じ素材で形成される背表紙２４と、２枚の表紙２２で挟まれる空間に設けられる書籍本体２６とから構成されている。【００１７】  この収納物２０としての書籍が載置される棚板３２は、いわゆる本棚の棚であり、一般にその表面は滑らかに加工されているので書籍の出し入れをスムーズに行うことができる。しかしながら、その表面の滑らかさのために、地震等の振動により書籍が棚板３２から滑り落ちてしまうことがあった。なお、出願人による試験によれば、一般的な焼付塗装などの棚の静止摩擦係数は０．１〜０．１５程度、また、物品を載置するためのオープン棚、キャビネット、机や什器等の棚板表面の静止摩擦係数は、物品を滑らかに出し入れさせるために０．１〜０．２程度となっていることを確認した。【００１８】  本発明の滑り止めマット１０は、図１に示すように方形で板状であり、収納物２０が載置される側となる一方面に滑り止め部１２が設けられている。【００１９】  本発明の滑り止めマット１０は、各種エラストマ（ゴム状の弾性を有する材料）であり、具体的には、天然ゴム、合成ゴム、ウレタンゴム、シリコーンゴム、フッ素ゴムや、熱可塑性エラストマ（ポリエステル系樹脂、ポリオレフィン系樹脂、塩化ビニル系樹脂、ナイロン系樹脂、フッ素系樹脂、生分解性樹脂等）であって、棚板３２と滑り止めマット１０との間の静止摩擦係数μが１．０以上の部材を用いている。【００２０】  なお、滑り止めマット１０の形状、大きさや配置等は、図１に示すものに限定されるものではなく、どのような形状としても良い。【００２１】  また、収納物２０と滑り止めマット１０との間の静止摩擦係数μ’は、棚板３２と滑り止めマット１０との間の静止摩擦係数μとは異なるように設定されており、具体的には、μ＞μ’となっている。【００２２】  なお、収納物２０と滑り止めマット１０との間の静止摩擦係数μ’に関して、出願人は、棚に書籍を置いた本棚を台車に乗せて衝突させる衝突試験や３次元振動台による過去の地震動を再現した振動試験により、図２の通り、μ’が０．４より大きい場合に充分な落下防止効果が得られるという、静止摩擦係数による落下防止の効果の結果を得た。なお、図２の「効果」の欄において、○は落下防止効果有り、×は落下防止効果無し、△は落下防止の効果はあるが充���ではないことを示している。【００２３】  また、書籍のような箱物（四角形を縦に立てた物）は、日本オフィス家具協会の箱物転倒防止基準（参考：「地震時における家具等の転倒に関する振動試験とその理論的考察」日本建築学会大会学術講演梗概集  昭和５３年９月）で
Ｂ／（√Ｈ）≦４  （Ｂ：奥行き、Ｈ：箱物の高さ）
の式を満たす際に転倒の危険性があると指摘されている。【００２４】  この点に関して、一般的なＡ４サイズの書籍（高さ約２９．５ｃｍ、奥行き約２１ｃｍ）の計算結果は３．８７となるため、転倒の危険性があると判断される。また、特に、滑り止めマット１０の滑り止め部１２の静止摩擦係数が大きいと、書籍が転倒しやすく、結果として棚板３２から落下しやすい。【００２５】  出願人は、この書籍の転倒による棚板３２からの落下に関して、特に書籍と棚板３２との間の静止摩擦係数（滑り止めマット１０を使用している場合には、収納物２０としての書籍と滑り止めマット１０との間の静止摩擦係数μ’）が大きい場合に落下しやすいことを上記各種試験から確認した。【００２６】  この結果、図３に示すμ’が０．６より小さい場合に転倒による落下を効果的に防止できるという、静止摩擦係数と転倒による落下の関係を得た。なお、図３の「効果」の欄において、○は転倒無し、×は転倒有り、△は転倒しかけたことを示している。【００２７】  なお、滑り止めマット１０の静止摩擦係数の調整は、表側（一方面）や裏側（他方面）の材質を変えたり、滑り止め部１２の表面に溝や凹凸を設けたりすることで実現可能である。【００２８】  以上のように、本発明の滑り止めマット１０は、棚板に置くだけという容易な設置方法であるにも拘わらず、滑り止め部１２により収納物２０の滑り落ちを確実に防止可能となっている。【００２９】  また、本発明の滑り止めマット１０は、書籍が転倒しない条件を満たす結果として、滑り止めマット１０上での書籍の滑りがスムーズとなるため、書籍を出し入れしたり、整理整頓のために書籍を棚板上で寄せたりすることが容易となる効果が得られる。また、このような、ある程度の滑りを持たせた滑り止めマットであるため、書籍を出し入れする際の抵抗が少なくなるので、書籍が傷みにくいという効果も得られる。
【産業上の利用可能性】
【００３０】  本発明では、滑り止めマット１０として説明したが、滑り止めマット１０の代わりに棚板表面の静止摩擦係数が０．４より大きく０．６より小さい棚板を準備しても良い。
【符号の説明】
【００３１】１０・・滑り止めマット、１２・・滑り止め部、２０・・収納物（書籍）、２２・・表紙、２４・・背表紙、２６・・書籍本体、３２・・棚板
【図１】
2014155679.tif 000003
【図２】
2014155679.tif 000004
【図３】
2014155679.tif 000005